(57)【要約】【課題】  食事をする為の箸であって、爪楊枝を組み合わせて何時でも探すことなく歯間に挟まった食べカスを除去することが出来る箸の提供。【解決手段】  箸の頭部には細長い収容穴４を形成し、そして上端にはキャップ３を取付けて該収容穴４の開口を塞ぎ、収容穴４には爪楊枝５を収容することを可能としている。【選択図】    図２
2011083506.tif 000002
【特許請求の範囲】
【請求項１】
食事をする為の箸において、頭部には細長い収容穴を形成し、そして上端にはキャップを取付けて該収容穴の開口を塞ぎ、収容穴には爪楊枝を収容することを可能としたことを特徴とする箸。
【請求項２】
上記キャップは側部と上端部を有し、側部にはスリットを設けることで板バネを形成し、箸頭部には板バネの撓み変形にてバネ力を付勢して外れないようにした請求項１記載の箸。
【請求項３】
上記キャップの上端部には小さい穴を貫通した請求項１、又は請求項２記載の箸。
【請求項４】
食事をする為の箸において、頭部には細長い収容穴を形成し、そして上端にはツマミを有すキャップを取付けて該収容穴の開口を塞ぎ、収容穴には爪楊枝を収容すると共に上記キャップに爪楊枝の上端を連結・止着し、該キャップが外れないように収容穴に嵌るＯリングを設けたことを特徴とする箸。
【発明の詳細な説明】
【技術分野】
【０００１】
本発明は箸の内部に空間を形成し、この空間に爪楊枝を収容した箸に関するものである。
【背景技術】
【０００２】
飲食店などでは一般に割り箸が使用されている場合が多く、割り箸を用いて食事をした後は、必要に応じてテーブルの片隅に置かれている爪楊枝を使って歯間に挟まっている食べカスを除去することが出来る。しかし、持ち帰り弁当などを食べる場所は、主として屋外など爪楊枝のない場所で食べることが多いことから、該爪楊枝を使うことが出来ず、食べカスは歯間に挟まったままの状態と成る。
【０００３】
そこで、屋外などの爪楊枝のない場所でも爪楊枝が使えるように、箸袋の中に割り箸と爪楊枝を一緒に収納したものがある。例えば、登録実用新案第３１５１４６９号に係る「爪楊枝収容ポケットを備えた携帯用箸収納袋」は、収納ポケットを備え、利便性の高い携帯用箸収納箸袋である。
すなわち、携帯用箸を直接収納する上端が開口した縦長袋状基材と、当該縦長袋状基材の下端で前記縦長袋状基材と重ねて縫着される帯状補強基材と、片方面で当該帯状補強基材の裏面と前記縦長袋状基材の表面を縫着することにより形成された爪楊枝乃至３本分程度の間隔である爪楊枝収容ポケットとを設けている。
【０００４】
又、特開２００１−４５４号に係る「爪楊枝収納割箸における着色爪楊枝」は、
割箸の頭部面が切り込み線に沿って、使用開始時、割り離されるであろう頭部面の一方の頭部面、またはもう一方の頭部面のいずれか一方に穴を設けて爪楊枝を収納し、割箸と一体化している。そこで、爪楊枝の先端部が収納されているので手を刺す事がなく、割箸で食事中も無意識に爪楊枝を持っていることになるので紛失せず、食事中に爪楊枝を使っても、また爪楊枝を収納すれば衛生的に食後まで保管できる。
【０００５】
このように爪楊枝を組み合わせた割箸は色々知られている。しかし、割箸以外の一般的な箸の場合に爪楊枝を該箸を組み合わせたものは使われていない。箸箱の片隅に入れることは出来るが、入れ忘れることが多く、使おうとする場合に入れ忘れに気がつくといった問題がある。
【特許文献１】登録実用新案第３１５１４６９号に係る「爪楊枝収容ポケットを備えた携帯用箸収納袋」
【特許文献２】特開２００１−４５４号に係る「爪楊枝収納割箸における着色爪楊枝」
【発明の開示】
【発明が解決しようとする課題】
【０００６】
このように、割箸に爪楊枝を組み合わせたものは色々存在しているは、普通に使う日常的な箸に爪楊枝を組み合わせたものは存在していない。本発明が解決しようとする課題はこの問題点であり、一般的な箸に爪楊枝を収容できる箸を提供する。
【課題を解決するための手段】
【０００７】
本発明に係る箸はその頭部である持ち手側に中心軸に沿って細長い穴を形成し、この収容穴に爪楊枝を入れることが出来るようにしている。そして、頭部にはキャップが取付けられて収容穴を塞いでいる。該キャップは着脱自在であり、そして箸を使う際に邪魔にならないキャップ形状としている。ここで、収容穴は片方の箸のみに形成する場合と両箸に設ける場合があり、本発明は収納穴の個数について限定しないことにする。
【０００８】
一方、本発明では収納穴に収納される爪楊枝をキャップに固定し、すなわち、キャップ付き爪楊枝とすることも出来る。従って、キャップを取外すならば、収容穴に入っている爪楊枝も同時に取外される。そして、爪楊枝はキャップに着脱自在とし、常に新しい爪楊枝に交換することが出来る取付け構造とすることも可能であり、例えばキャップに嵌入穴を設け、嵌入穴に爪楊枝の頭部を差込んで止着出来る。
【発明の効果】
【０００９】
本発明の箸はその頭部に細長い収容穴を形成し、この収容穴に爪楊枝が入っている。従って食事後に爪楊枝を探す必要はなく、箸のキャップを取外して歯間に挟まっている食べカスを除去することが出来る。本発明は爪楊枝が組み込まれた箸であり、爪楊枝をテーブルに置く必要がなく、箸に爪楊枝を組み合わせることで、何時でも不便を感じることなく使用出来る。特に、弁当箱に入れる箸として利便性が高い。
【００１０】
一方、従来の爪楊枝は使い捨てることが出来る簡素な形態としているが、本発明では繰返し使用出来るように、又使った時に歯を損傷することがない構造とすることが出来る。例えば、一方の箸に形成した収容穴には従来のような木質ではなく軟質樹脂を用いて多少曲がることが出来るようにし、他方の箸に形成される収容穴に入れる爪楊枝は、従来のように剛さを備えた爪楊枝とすることが出来、必要に応じて使い分け可能である。
【図面の簡単な説明】
【００１１】
【図１】本発明に係る箸を示す外観図。
【図２】上記図１の箸の頭部断面図。
【図３】頭部断面を示す他の実施例。
【発明を実施するための形態】
【００１２】
図１は本発明に係る箸を示す外観図である。箸１ａ，１ｂは２本一組となって構成され、先端部２ａ，２ｂは従来の一般的な箸と同じくテーパー状に細く成っている。そして、頭部にはキャップ３ａ，３ｂが取付けられていて、これらキャップ３ａ，３ｂは着脱可能としている。箸１ａ，１ｂ、及びキャップ３ａ，３ｂの材質は限定しないが、一般的には樹脂製としている。
【００１３】
本発明の箸１ａ，１ｂは内部に細長い収容穴を形成し、この収容穴に爪楊枝を収容することが出来るように構成し、そこで頭部には上記キャップ３ａ，３ｂが取付けられ、該キャップ３ａ，３ｂを取外して爪楊枝の出入れを行うことが出来る。図２は箸１の頭部断面を示す具体例であり、頭部には細長い収容穴４が形成され、収容穴４の上端は開口し、上記キャップ３はこの開口を塞いでいる。
【００１４】
そして、該収容穴４には爪楊枝５が収容され、キャップ３によって収容穴４から外れないようにしている。従って、爪楊枝５を使用する際にはキャップ３を取外して収容穴４から取出すことが出来、使った後は再び収容穴４に入れることが出来る。勿論、従来から使われている木製の爪楊枝５を使うならば、１回限りで使い捨てるようにしてもよく、これは該箸１ａ，１ｂを使う人の自由である。
【００１５】
ところで、上記キャップ３は箸１の頭部に安定して取付けられるように、該キャップ３の側部６にスリットを形成することで一部を板バネとし、頭部にバネ力を付勢することで外れないように止着することが出来る。又は、箸１の頭部が円形断面であれば、頭部外周にＯリングを嵌め、頭部に嵌めたキャップ３は該Ｏリングにて外れないように止着することも出来る。そして、キャップ３の上端部７の中央に小さい穴８を貫通する場合もある。
【００１６】
該穴８はキャップ３を頭部に嵌める際のエアー抜きとして機能し、又、箸１を洗って乾燥する場合に、収容穴４に入った水抜き穴として機能する。勿論、穴８を設けることなく、Ｏリングを介してキャップ３を取付けるようにすれば、該キャップ３と頭部の隙間から収容穴４に水が浸入することはない。
【００１７】
図３は本発明の箸１の頭部断面を示す他の実施例である。同図に示す箸１の場合も、その頭部には細長い収容穴４が上端から延び、該収容穴４には爪楊枝５が収容されている。ところで、この爪楊枝５は収容穴４に収容されているが、その上端はキャップ９に連結して止着されている。そして、該キャップ９は爪楊枝５を取付けていると共に、収容穴４の上端開口を塞いでいる。
【００１８】
該キャップ９にはツマミ１０が形成され、該ツマミ１０を摘んで爪楊枝５を抜き出すことが出来る。又、該キャップ９が箸１の頭部から外れないように、基部にはＯリング１１が取付けられ、このＯリング１１は収容穴４に嵌っている。すなわち、Ｏリング１１は収容穴４に嵌ることで僅かに圧縮変形して外れないように取付けられる。
【００１９】
ところで、本発明では箸に収容穴４を形成し、この収容穴４に爪楊枝５を収容することが出来るが、２本の箸１ａ，１ｂの片方にのみ爪楊枝５を収容するようにする場合、又は両箸１ａ，１ｂの両方に収容穴４，４を形成して爪楊枝５，５を収容する場合がある。この場合、２本の爪楊枝５，５は同じではなく、異なる爪楊枝５，５をすることが可能である。
【００２０】
例えば、材質的に柔らかくて多少曲がることが出来る爪楊枝５、逆に従来の爪楊枝のごとく剛性が高くて曲がることが出来ないもの。又は寸法的に先端部が比較的太い爪楊枝５と、歯間の隙間に容易に挿入出来るように先端部が細い爪楊枝５をそれぞれの箸１ａ，１ｂに形成した収容穴４，４に収容することが出来る。
【符号の説明】
【００２１】
１  箸
２  先端部
３  キャップ
４  収容穴
５  爪楊枝
６  側部
７  上端部
８  穴
９  キャップ
10  ツマミ
11  Ｏリング
【図１】
2011083506.tif 000003
【図２】
2011083506.tif 000004
【図３】
2011083506.tif 000005